(57)【要約】      （修正有）【課題】瞑想治療のための装置を提供する。【解決手段】装置は、各々が触覚によって知覚可能な信号を提供するための手段を含む、複数の隣接するドットまたは他の形状であって、信号が機械的な信号、および／または電気的な信号、および／または温度信号、および／または磁気信号を含む、複数の隣接するドットまたは他の形状と、触覚によって知覚可能なあらかじめプログラムされた形状４０、４０Ａ、４０Ｂ、４２を提供するために、前記手段の各々を独立して実行するための制御装置とを備え、前記手段は複数のバーを備え、その各々は前記制御装置によって制御される個別のモーターにより操作され、それにより、触覚によって知覚可能な信号を介してあらかじめプログラムされた形状４０、４０Ａ、４０Ｂ、４２に類似する信号を脳に対して生じさせる。【選択図】図３Ａ
0003210769.tif 000002
【実用新案登録請求の範囲】
【請求項１】
瞑想治療用装置（１００）であって、該装置は、
・各々が触覚によって知覚可能な信号を提供するための手段を含む、複数の隣接するドット（１１）または他の形状であって、前記信号が機械的な信号、電気的な信号、温度信号、磁気信号を含む群から選択された少なくとも１つのメンバーを含む、複数の隣接するドット（１１）または他の形状；および、
・触覚によって知覚される、実質的に反復して生成および消去されるあらかじめプログラムされた形状（３０、４０、４０Ａ、４０Ｂ、４２、４６、４８、５０、５２、５４）を提供するために、前記手段の各々を独立して実行するための制御装置（３２）、を備え、
それにより、触覚によって知覚可能な前記信号を介して前記あらかじめプログラムされた形状（３０、４０、４０Ａ、４０Ｂ、４２、４６、４８、５０、５２、５４）に類似する信号を脳に対して生じさせる、装置（１００）。  
【請求項２】
触覚によって知覚可能な前記あらかじめプログラムされた形状（３０、４０、４０Ａ、４０Ｂ、４２、４６、４８、５０、５２、５４）は、ライン（４０、４０Ａ、４０Ｂ、４２）または他の形状の解像度を上げる手順を含み、
それにより、瞑想治療によって適用される脳の識別訓練よりもむしろ、脳の識別訓練のために触覚を利用する、請求項１に記載の装置（１００）。
【請求項３】
ライン（４０、４０Ａ、４０Ｂ、４２）または他の形状の解像度を上げる前記手順は、一定数のラインを維持することを含む、請求項２に記載の装置（１００）。
【請求項４】
ライン（４０、４０Ａ、４０Ｂ、４２）または他の形状の解像度を上げる前記手順は、各工程で単一の距離を提供することを含む、請求項２に記載の装置（１００）。
【請求項５】
ライン（４０、４０Ａ、４０Ｂ、４２）または他の形状の解像度を上げる前記手順は、各工程で複数の距離を提供することを含む、請求項２に記載の装置（１００）。
【請求項６】
触覚によって知覚可能な前記あらかじめプログラムされた形状（３０、４０、４０Ａ、４０Ｂ、４２、４６、４８、５０、５２、５４）は、空のセグメント（４８）を含む形状（４６）を提供する手順を含み、
それにより、脳の完成訓練のために触覚を利用する、請求項１に記載の装置（１００）。
【請求項７】
触覚によって知覚可能な前記あらかじめプログラムされた形状（３０、４０、４０Ａ、４０Ｂ、４２、４６、４８、５０、５２、５４）は、
−ラインまたは形状（５０）を提供する、
−その後、ラインまたは形状（５０）の一部（５２）を提供する、
−その後、前記形状（５０）の前記ラインと、前記ラインまたは形状（５０）の前記一部（５２）との間の差を提供する、
という手順を含み、
それにより、前記ラインまたは形状（５０）によって、および前記一部（５２）によって生成される期待値をもたらすために、ならびに前記差によって生成される期待値の達成をもたらすために、触覚を利用する、請求項１に記載の装置（１００）。  
【請求項８】
複数の隣接するドット（１１）または他の形状は、移動可能かつ後退可能なピン（１１）または他の形状の１以上の群（１０）を含み、前記ピン（１１）または他の形状の各々はピンが配置される表面に実質的に垂直であり、
前記制御装置（３２）は、前記ピン（１１）の各々を個別に移動および後退させる操作を制御するために適しており、および、
前記装置（１００）は、時間指定された指示の群であるスクリプトに従って、前記制御装置（３２）に前記ピンの各々を個別に移動／後退させるよう指示するためのコンピュータ化された機構（３４）をさらに含み、
それにより、スクリプトに従ってヒトの器官へ機械的な刺激信号／パルスを生成する、請求項１に記載の装置（１００）。
【請求項９】
加熱用のパルス／信号を生成するために、複数の隣接するドット（１１）または他の形状を加熱するための機構をさらに含む、請求項１に記載の装置（１００）。
【請求項１０】
冷却用のパルス／信号を生成するために、複数の隣接するドット（１１）または他の形状を冷却するための機構をさらに含む、請求項１に記載の装置（１００）。
【請求項１１】
電気的なパルス／信号を生成するために、複数の隣接するドット（１１）または他の形状に電気を流すための機構をさらに含む、請求項１に記載の装置（１００）。
【請求項１２】
磁気パルス／信号を生成するために、複数の隣接するドット（１１）または他の形状を磁化するための電磁機構をさらに含む、請求項１に記載の装置（１００）。
【請求項１３】
スクリプトの各コマンドはパルス／信号の形態を定義する、請求項７に記載の装置（１００）。
【請求項１４】
前記形態は強度である、請求項１３に記載の装置（１００）。
【請求項１５】
前記形態は継続時間である、請求項１３に記載の装置（１００）。
【請求項１６】
前記形態はリズムである、請求項１３に記載の装置（１００）。
【請求項１７】
前記形態はサイクルである、請求項１３に記載の装置（１００）。
【請求項１８】
前記ドット（１１）または他の形状の各々は個別に加熱される、請求項１に記載の装置（１００）。
【請求項１９】
前記ピンはすべて、後退状態にあるときにピンのまわりに配置された加熱された液体によって一緒に加熱される、請求項７に記載の装置（１００）。
【請求項２０】
前記ピンの各々は個別に冷却される、請求項７に記載の装置（１００）。
【請求項２１】
前記ピンはすべて、後退状態にあるときにピンのまわりに配置された冷却用液体によって一緒に冷却される、請求項７に記載の装置（１００）。
【請求項２２】
前記表面はヒトの器官の表面に相当する、請求項７に記載の装置（１００）。
【請求項２３】
前記ヒトの器官は、手のひら、足裏、背中、顔からなる群から選択される、請求項２１に記載の装置（１００）。
【請求項２４】
前記ヒトの器官の領域が敏感であればあるほど、移動可能かつ後退可能なピン（１１）の前記群（１０）のメンバーの密度はますます高くなる、請求項２１に記載の装置（１００）。
【請求項２５】
前記ピンは幾何学的な形態で動かされる、請求項７に記載の装置（１００）。
【請求項２６】
前記ピンは部分的に幾何学的な形態で動かされ、それによって、患者の頭脳が完全な形態を完成させるのを可能にする、請求項７に記載の装置（１００）。
【請求項２７】
移動可能かつ後退可能なピン（１１）の前記群（１０）のメンバーは、マトリックスの形態で配置される、請求項７に記載の装置（１００）。
【請求項２８】
・前記ピン（１１）が穿孔を通って移動可能な第１の有孔プレート（１２）；
・第２のプレート（１４）；
・液体（４２）で充填される、前記プレート間の閉塞空間（３８）；および
・前記液体（４２）を加熱／冷却するための、前記液体（４２）中に配置される加熱／冷却体（４０）、
をさらに備え、
・それによって、前記液体に浸漬するときに前記ピンをすべて加熱／冷却する、請求項７に記載の装置（１００）。
【請求項２９】
前記複数の隣接するドット（１１）または他の形状は、複数の電気出力用ドットまたは他の形状を含む電気的マスクを含む、請求項１に記載の装置（１００）。
【請求項３０】
・触覚によって知覚可能な信号を提供する工程であって、前記信号が機械的な信号、電気的な信号、温度信号、磁気信号を含む群から選択された少なくとも１つのメンバーを含む、工程、および、
・触覚によって知覚される、実質的に反復して生成および消去されるあらかじめプログラムされた形状（３０、４０、４０Ａ、４０Ｂ、４２、４６、４８、５０、５２、５４）を提供するために、前記手段の各々を独立して実行する工程、
を含む瞑想治療用の方法であって、
それにより、触覚によって知覚可能な前記信号を介して前記あらかじめプログラムされた形状（３０、４０、４０Ａ、４０Ｂ、４２、４６、４８、５０、５２、５４）に類似する信号を脳に対して生じさせる、方法。
【請求項３１】
触覚によって知覚可能な前記あらかじめプログラムされた形状（３０、４０、４０Ａ、４０Ｂ、４２、４６、４８、５０、５２、５４）を提供する前記工程は、ライン（４０、４０Ａ、４０Ｂ、４２）または他の形状の解像度を上げる手順を含み、
それにより、瞑想治療によって適用される脳の識別訓練よりもむしろ、脳の識別訓練のために触覚を利用する、請求項３０に記載の方法。
【請求項３２】
ライン（４０、４０Ａ、４０Ｂ、４２）または他の形状の解像度を上げる前記手順は、一定数のラインを維持することを含む、請求項３０に記載の方法。
【請求項３３】
ライン（４０、４０Ａ、４０Ｂ、４２）または他の形状の解像度を上げる前記手順は、各工程で単一の距離を提供することを含む、請求項３０に記載の方法。
【請求項３４】
ライン（４０、４０Ａ、４０Ｂ、４２）または他の形状の解像度を上げる前記手順は、各工程で複数の距離を提供することを含む、請求項３０に記載の方法。
【請求項３５】
触覚によって知覚可能な前記あらかじめプログラムされた形状（３０、４０、４０Ａ、４０Ｂ、４２、４６、４８、５０、５２、５４）を提供する前記工程は、空のセグメント（４８）を含む形状（４６）を提供する手順を含み、
それにより、脳の完成訓練のために触覚を利用する、請求項３０に記載の方法。
【請求項３６】
触覚によって知覚可能な前記あらかじめプログラムされた形状（３０、４０、４０Ａ、４０Ｂ、４２、４６、４８、５０、５２、５４）を提供する前記工程は、
−ラインまたは形状（５０）を提供する、
−その後、前記ラインまたは形状（５０）の一部（５２）を提供する、
−その後、形状（５０）の前記ラインと、前記ラインまたは形状（５０）の前記一部（５２）との間の差を提供する、
という手順を含み、
それにより、前記ラインまたは形状（５０）によって、および前記一部（５２）によって生成される期待値をもたらすために、ならびに前記差によって生成される期待値の達成をもたらすために、触覚を利用する、請求項３０に記載の方法。
【考案の詳細な説明】
【技術分野】
【０００１】
本発明は支援装置の分野に関する。とりわけ、本発明は瞑想治療用の装置に関する。
【背景技術】
【０００２】
世界保健機関によれば、世界中の１億２１００万人がうつ病に苛まされており、効果的な治療を受けることができるのはその２５％だけである。
【０００３】
患者の大部分は薬物で治療されているものの、こうした患者の約６０％に薬物は有効ではない。アメリカ人の約２９％は人生のある時点で不安症に苛まれる。
【０００４】
うつ病に苦しんでいる患者のさらに約１５％は磁場治療と電気痙攣療法で救われている。数パーセントの人々は季節性感情障害（ＳＡＤ）に苛まれており、光線療法で癒すことができる。
【０００５】
うつ病に対して現在容認されている医学的処置としては、薬物療法、心理療法、経頭蓋磁気刺激（磁場を利用するＴＭＳ−治療）；電気痙攣療法（ＥＣＴ）、およびＳＡＤのための光線療法が挙げられる。
【０００６】
瞑想やヨガのような代替的な方法の使用を裏付ける科学的な証拠もあるが、このような病気に対するリフレクソロジーまたは鍼によるいかなる利点も証明する決定的な科学的証拠はない。
【０００７】
ＥＣＴとＴＭＳは、専門家と医者を駆使する外来診療治療として何万ドルもかかる非常に高額な治療である。光線療法装置を使用すると患者に１００−４００ＵＳドルの負担となる；光線療法装置は患者集団の１−１０％しか救わず、季節的な影響を受けた患者にのみ役立つに過ぎない。
【０００８】
グーグルパテント（Ｇｏｏｇｌｅ  Ｐａｔｅｎｔ）および他の特許データベースにおいて本出願人により実行された特許調査では、うつ病と不安症の問題を解決しようとする特許公報は発見されなかった。
【考案の概要】
【考案が解決しようとする課題】
【０００９】
本発明は、上述の問題と従来の他の問題の解決策を提供することを目的とする。本発明は、現時点で存在する薬物と治療では救われない患者と同様に、効果的な治療を受けることができない人々を助けるものである。本発明の他の目的や利点は記載が進むにつれ明白になるであろう。
【課題を解決するための手段】
【００１０】
瞑想治療のための装置（１００）であって、該装置は、
・各々が触覚によって知覚可能な信号を提供するための手段を含む、複数の隣接するドット（１１）または他の形状であって、信号が機械的な信号、および／または電気的な信号、および／または温度信号、および／または磁気信号を含む、複数の隣接するドット（１１）または他の形状；および、
・触覚によって知覚可能なあらかじめプログラムされた形状（３０、４０、４０Ａ、４０Ｂ、４２、４６、４８、５０、５２、５４）を提供するために、前記手段の各々を独立して実行するための制御装置（３２）、を備え、
それにより、触覚によって知覚可能な信号を介してあらかじめプログラムされた形状（３０、４０、４０Ａ、４０Ｂ、４２、４６、４８、５０、５２、５４）に類似する信号を脳に対して生じさせる。
【００１１】
触覚によって知覚可能なあらかじめプログラムされた形状（３０、４０、４０Ａ、４０Ｂ、４２、４６、４８、５０、５２、５４）は、ライン（４０、４０Ａ、４０Ｂ、４２）または他の形状の解像度を上げる手順を含んでもよく、
それにより、瞑想治療によって適用される脳の識別訓練よりもむしろ、脳の識別訓練のために触覚を利用する。
【００１２】
ライン（４０、４０Ａ、４０Ｂ、４２）または他の形状の解像度を上げる手順は、一定数のラインを維持する工程を含んでもよい。
【００１３】
ライン（４０、４０Ａ、４０Ｂ、４２）または他の形状の解像度を上げる手順は、各工程で単一の距離を提供する工程を含んでもよい。
【００１４】
ライン（４０、４０Ａ、４０Ｂ、４２）または他の形状の解像度を上げる手順は、各工程で複数の距離を提供する工程を含んでもよい。
【００１５】
触覚によって知覚可能なあらかじめプログラムされた形状（３０、４０、４０Ａ、４０Ｂ、４２、４６、４８、５０、５２、５４）は、空のセグメント（４８）を含む形状（４６）を提供する手順を含んでもよく、
それにより、脳の完成訓練のために触覚を利用してもよい。
【００１６】
触覚によって知覚可能なあらかじめプログラムされた形状（３０、４０、４０Ａ、４０Ｂ、４２、４６、４８、５０、５２、５４）は、
−ラインまたは形状（５０）を提供する、
−その後、ラインまたは形状（５０）の一部（５２）を提供する、
−その後、上記のラインまたは形状（５４）を提供する、
手順を含んでもよく、
それにより、ラインまたは形状（５０）によって、および一部（５２）によって生成される期待値をもたらすために、ならびに再度上記のラインまたは形状（５４）によって生成される期待値の達成をもたらすために、触覚を利用してもよい。
【００１７】
複数の隣接するドット（１１）または他の形状は、移動可能かつ後退可能なピン（１１）の１以上の群（１０）を含んでもよく、ピン（１１）の各々はピンが配置される表面に実質的に垂直であり、
制御装置（３２）は、ピン（１１）の各々を個別に移動および後退させる操作を制御するために適しており、および、
装置（１００）は、時間指定された指示の群であるスクリプトに従って、制御装置（３２）にピンの各々を個別に移動／後退させるよう指示するためのコンピュータ化された機構（３４）をさらに含み、
それにより、スクリプトに従ってヒトの器官へ機械的な刺激信号／パルスを生成してもよい。
【００１８】
装置は、加熱用のパルス／信号を生成するために、複数の隣接するドット（１１）または他の形状を加熱するための機構をさらに含んでもよい。
【００１９】
装置は、冷却用のパルス／信号を生成するために、複数の隣接するドット（１１）または他の形状を冷却するための機構をさらに含んでもよい。
【００２０】
装置は、電気的なパルス／信号を生成するために、複数の隣接するドット（１１）または他の形状に電気を流すための機構をさらに含んでもよい。
【００２１】
装置は、磁気パルス／信号を生成するために、複数の隣接するドット（１１）または他の形状を磁化するための電磁機構をさらに含んでもよい。
【００２２】
スクリプトの各コマンドはパルス／信号の形態を定義することがある。
【００２３】
その形態は、強度および／または継続時間および／またはリズムおよび／またはサイクルであってもよい。
【００２４】
ドット（１１）または他の形状の各々は個々に加熱されてもよい。
【００２５】
ピンはすべて、後退状態にあるときにピンのまわりに配置された加熱された液体によって一緒に加熱されることがある。
【００２６】
ピンの各々は個別に冷却されることがある。
【００２７】
ピンはすべて、後退状態にあるときにピンのまわりに配置された冷却用液体によって一緒に冷却されることがある。
【００２８】
その表面はヒトの器官の表面に相当してもよい。
【００２９】
ヒトの器官は、手のひらおよび／または足および／または足裏および／または背中および／または顔を構成することがある。
【００３０】
ヒトの器官の領域が敏感であればあるほど、移動可能かつ後退可能なピン（１１）の群（１０）のメンバーの密度はますます高くなる。
【００３１】
ピンは幾何学的な形態で動かされることがある。
【００３２】
ピンは部分的な幾何学的形態で移動されてもよく、それによって、患者の頭脳が、完全な形態を完成させるのを可能にする。
【００３３】
移動可能かつ後退可能なピン（１１）の群（１０）のメンバーは、マトリックスの形態に配置されてもよい。
【００３４】
装置はさらに：
・ピン（１１）が穿孔を通じて移動可能な第１の有孔プレート（１２）；
・第２のプレート（１４）；
・液体（４２）で充填されるプレート間の閉塞空間（３８）；および
・液体（４２）を加熱／冷却するための、液体（４２）中に配置される加熱／冷却体（４０）、を含み、それらによって、全てのピンを、液体に浸漬されたときに、加熱／冷却する。
【００３５】
複数の隣接したドット（１１）または他の形状は、複数の電気出力用ドットまたは他の形状を含む電気的マスクを含んでもよい。
【００３６】
参照符号は、本考案の理解を容易にするため、本書中に記載され図示された実施形態の要素を指し示すために使用した。それらは、単なる例示であり、限定する意図はない。同様に、本考案の後述の実施形態は、そのシステムおよび方法と関連して記述し図示したが、それらも単なる例示であり、限定する意図はない。
【図面の簡単な説明】
【００３７】
本考案の好適な実施形態、特徴、様相および利点が、下記の図面を用いて、本明細書に記載される：
【００３８】
【図１】本考案の一実施形態に基づく、瞑想用装置を図示する。
【図２】マトリックスのピンに「拡大鏡」を当てることによって、図１のピンマトリックスをさらに詳細に示すものである。
【図２Ａ】マトリックスのピンに「拡大鏡」を当てることによって、図１のピンマトリックスをさらに詳細に示すものである。
【図３】図２のピンマトリックスをさらに詳細に示す。
【図３Ａ】図２のピンマトリックスをさらに詳細に示す。
【図３Ｂ】図２のピンマトリックスをさらに詳細に示す。
【図３Ｃ】図２のピンマトリックスをさらに詳細に示す。
【図４】図１のＡ−Ａ線で断面した断面図であって、図中、ピンは上昇している。
【図５】ピンを移動させる電気機械的機構を取り出して示す断面図である。
【図６】ピンの加熱機構を取り出して示す断面図である。
【００３９】
図面が必ずしも縮尺通りに作成されないことは、理解されるべきである。
【考案を実施するための形態】
【００４０】
本考案は、好適な実施形態（「ベストモード」）に関する下記の詳細な記載から理解されるものであり、それらは説明が目的であり、限定する意図はない。簡潔にするため、いくつかの公知の形状、方法、システム、工程、構成要素、回路などは、詳細には記載しない。
【００４１】
本考案は、瞑想療法のための装置に関する。
【００４２】
本明細書で用語「シナプス」とは、ニューロン（または神経細胞）が電気信号または化学信号を他のニューロンへ伝達することを可能にする構造を言うものとする。
【００４３】
本明細書で用語「体性感覚」とは、触覚を言うものとする。
【００４４】
うつ病の発生に関する可能な説明のうちの１つは、脳の可塑性における障害である。本考案は、シナプスに触知可能信号を伝送することによって、脳のシナプス活性における可塑性を向上させることを目標とする。
【００４５】
神経生物学と臨床実験の分野の調査研究は、体知覚の識別活性を増加させることによって、臨床的うつ病と不安症を患っている患者の症状を改善することが可能であることを示した。このことは、最初の臨床的観察によっても支持される。
【００４６】
足裏、手のひらなどのような人の器官を、特別な調整信号で刺激することを通じ、本考案は、患者の神経系の識別閾値を徐々に減少させる。
【００４７】
センサ的（ｓｅｎｓｏｒｉｃ）な「雑音」を減少させることによって、および、感覚運動的（ｓｅｎｓｏｍｏｔｏｒｉｃ）な信号の使用によって、その装置は、臨床的うつ病および不安症を患っている患者の症状を改善する。
【００４８】
技術革新は、患者の身体の敏感部分に対しパルスを発生させる可変の療法（ｍｏｄａｌｉｔｙ）の活性化によって導入される。そのような装置は、患者に実行されるテストの結果として、電子カードに格納されるソフトウェアファイルの形式のアルゴリズムを含む。
【００４９】
本明細書で用語「パルス」および「信号」は、刺激の時間間隔を言うものとする。例えば「電気パルス」とは、継続時間がたとえば１００分の１秒、１０分の１秒などのような電気的衝撃であり、一方、「電気信号」は少なくとも数秒を必要とする。
【００５０】
目的物は、手のひら、手、足、足裏、顔などのような患者の身体の敏感領域への刺激信号／パルスを生成する装置によって得られる。
【００５１】
刺激信号は、コンピューターソフトウェアによって操作され得る制御システムによって制御することができる。
【００５２】
刺激信号は、機械的外力、電流、温度（熱／冷）、磁気などの形態とすることが可能である。
【００５３】
刺激信号は、連続的、断続的、反復可能、非反復的、単一パターンまたは複数パターンなどであってもよい。
【００５４】
本考案の一実施形態によれば、装置は、たとえば熱パルスに合わせた電気パルスのように、複数の刺激信号を同時に実行するのに適している。
【００５５】
本考案の一実施形態によれば、刺激装置は、患者の身体の前述の敏感領域を刺激するために、同じ装置に複数の刺激形態を組込むのに適している。
【００５６】
装置は、携帯用の装置としても、固定の装置としても構成され得る。装置は、医師によって使用されることが可能であり、自己瞑想治療用の装置とすることもできる。
【００５７】
刺激装置を用いる瞑想治療の結果、うつ病、不安症または疼痛を患う患者の症状の改善が見られる。
【００５８】
本考案の一実施形態によれば、装置は、制御システム（コンピュータ化された機構であり得る）により移動可能なピンの群を使用し、それらピンの端部が、物理的衝突を生成する手段、電気的パルスを生成するための接点、熱を生成するための加熱体などのような、刺激端子として使用される。
【００５９】
移動可能なピンの群は、マトリックスの形態で、すなわち、列方向および行方向に均等に配置された要素の群で、または、必ずしも均等に分散されるわけではない異なる形態に配置されてもよい。例えば、人体の敏感領域においては、人体のそれほど敏感でない領域に比べて、分散がより高密度であってもよい。
【００６０】
本考案の一実施形態によれば、患者は、膝を持ち上げるバーによって膝を曲げた状態で、ベッドに横たわる。この状況で、患者の足が装置に近付けられる（または、装置が、患者の足裏に近付けられる）。最初のステージにおいて、装置は、患者の足裏表面に各ピンを近付けることによって、ピンをリセットする。この状態において、刺激を実行する。
【００６１】
刺激は、そのアルゴリズムを実行するコンピューターコマンドの命令に従って、ピンによる物理的接触、電流、磁場、熱／寒信号の形態でもよく、強度、解像度、リズム、反復可能性などの、異なる幾何学的形態であってもよい。
【００６２】
図１は、本発明の一実施形態による、瞑想治療用の装置を例証する。
【００６３】
本明細書において参照番号（１００）で示される装置は、患者の足裏を刺激するのに適している。
【００６４】
装置は、ケーシング（１６）を備え、ここでその上側には、ヒトの足裏に対応する、２つのパネル（２６）および（２８）が配置されている。さらに詳述されるように、各パネルに可動ピンのマトリックスが設置され、その移動は、制御部によって制御されている。パネルのピンは、そこにヒトの足裏を配置することを可能にするために押し下げられる。
【００６５】
図１はまた、断面Ａ−Ａを画定し、その結果は図４で示される。
【００６６】
図２は、マトリックスのピンに「拡大鏡」を当てることによって、図１のピンマトリックスをさらに詳細に示すものである。
【００６７】
この例において、ピン（１１）は均一に分散されているが、処置及び／又は技術的な考察の結果、ピン配置が均一ではないかもしれないことに留意されたい。
【００６８】
図２の実施形態によると、各ピン（１１）の形状は、ドット形状である。
【００６９】
図２Ａは、各ピンの形状がライン形状であることを除いて、図２に類似している。
【００７０】
別の実施形態によると、各ピン（１１）の形状は、ライン形状または別の形状であってもよい。
【００７１】
図２および図２Ａにおいて、例証されるピン（１１）はすべて上げられるが、以下に記載されるように、ピン（１１）の各々は移動可能であり、その状態は制御システムによって変更可能である。
【００７２】
図３は、図２のピンマトリックスをさらに詳述している。
【００７３】
複数のピン（１１）は、複数のあらかじめ選択された形状を提供し得る。図３の例では、複数のピン（１１）は、その制御機構（この図では例証されず）によって、対応するピン（１１）を上げることにより生成される、三角形（３０）を形成する。したがって、ピン（１１）の各々は、そのアルゴリズムを実行するコンピュータ化された機構からのコマンドに従って、制御機構によって上下され得る。
【００７４】
三角形（３０）は、ピン（１１）によって適用される機械的手段よりもむしろ、電流を皮膚に供給するための電気的手段、あるいは皮膚上のドット形状または他の形状を加熱または冷却するための温度手段などの、他の手段によって生成され得る。電気的手段は、複数の電気出力用ドットまたは他の形状を含む電気的マスクを適用してよい。温度手段は、複数の加熱または冷却の出力用ドットあるいは他の形状を適用してよい。
【００７５】
一般に、患者は、時間に応じて生成された予め決められた形状を、その体性感覚によって知覚しなければならない。
【００７６】
処置を適用するために予め選択された手順が実行される。１つの手順は、物理信号、電気信号、または温度信号などの触知可能な信号を介して、患者の脳に送信するための、体性感覚識別、ラインまたはドットの識別、あるいは様々な解像度での他の形状の識別である。
【００７７】
図３Ａは、処置を適用するための第１手順の工程を示す。
【００７８】
ラインまたは他の形状の識別は、工程間のラインまたは形状の解像度を増加させることによって適用され得る。一実施形態によると、以下に例示されるように、ラインの数は、工程に沿って一定であり（例えば１、２、３、または４）、解像度は、あらゆる工程で一定しており、１つの工程から次の工程まで増加する。
【００７９】
例えば、処置の１日目（１．１．１４）に、パネル（２８）内のピン（１１）は、パネル（２８）の様々な位置に配置された、１つのライン（４０）または別の形状を生成し得る。ライン（４０）は、恒久的には生成されず、むしろ、繰り返し生成され、取り消される、例えば、２０秒間生成され、１０秒間取り消され、２０秒間または１８秒間などで生成される。  
【００８０】
処置の２日目（２．１．１４）に、パネル（２８）内のピン（１１）は、パネル（２８）の様々な位置に配置された、２つのライン（４２）または別の形状を生成し得、第１工程で、ライン（４２）間の距離は、２．５センチメートルであり、第２工程で、ライン（４２）間の距離は、２センチメートルであり、第３工程で、ライン（４２）間の距離は、１．５センチメートルであり、および第４工程で、ライン（４２）間の距離は、１センチメートルである。好ましくは、ライン（４２）は、恒久的には生成されず、むしろ、繰り返し生成され、取り消される。
【００８１】
処置の３日目（３．１．１４）に、パネル（２８）内のピン（１１）は、パネル（２８）の様々な位置に配置された、３つのライン（４０Ａ）または別の形状を生成し得、第１工程で、ライン（４０Ａ）間の距離は、２．５センチメートルであり、第２工程で、ライン（４０Ａ）間の距離は、２センチメートルであり、第３工程で、ライン（４０Ａ）間の距離は、１．５センチメートルであり、および第４工程で、ライン（４０Ａ）間の距離は、１センチメートルである。好ましくは、ライン（４０Ａ）は、恒久的には生成されず、むしろ、繰り返し生成され、取り消される。
【００８２】
処置の４日目（４．１．１４）に、パネル（２８）内のピン（１１）は、パネル（２８）の様々な位置に配置された、４つのライン（４０Ｂ）または別の形状を生成し得、第１工程で、ライン（４０Ｂ）間の距離は、２．５センチメートルであり、第２工程で、ライン（４０Ｂ）間の距離は、２センチメートルであり、第３工程で、ライン（４０Ｂ）間の距離は、１．５センチメートルであり、および第４工程で、ライン（４０Ｂ）間の距離は、１センチメートルである。好ましくは、ライン（４０Ｂ）は、恒久的には生成されず、むしろ、繰り返し生成され、取り消される。
【００８３】
一実施形態によると、ライン間の距離は、同じセットのライン内で異なってもよい。
【００８４】
例えば、処置の５日目（５．１．１４）に、パネル（２８）内のピン（１１）は、パネル（２８）の様々な位置に配置された、左から右に（４０Ｃ１）、（４０Ｃ２）、（４０Ｃ３）、（４０Ｃ４）および（４０Ｃ５）を含む１セットの５つのライン、または別の形状を生成し得、第１工程で、ライン（４０Ｃ１）と（４０Ｃ２）との間の距離は、２．５センチメートルであり、ライン（４０Ｃ２）と（４０Ｃ３）との間の距離は、２センチメートルであり、ライン（４０Ｃ３）と（４０Ｃ４）との間の距離は、１．５センチメートルであり、およびライン（４０Ｃ４）と（４０Ｃ５）との間の距離は、１センチメートルである。
【００８５】
第２工程で、ライン（４０Ｃ１）と（４０Ｃ２）との間の距離は、２センチメートルであり、ライン（４０Ｃ２）と（４０Ｃ３）との間の距離は、１．６センチメートルであり、ライン（４０Ｃ３）と（４０Ｃ４）との間の距離は、１．２センチメートルであり、およびライン（４０Ｃ４）と（４０Ｃ５）との間の距離は、０．８センチメートルである。
【００８６】
また以下の工程で、距離は、前の工程に従って減少する。
【００８７】
触知可能な信号を介する脳へのこの信号伝達は、既知の瞑想治療によって適用された純粋な認識作用手段（ｃｏｇｎｉｔｉｖｅ ａｆｆｅｃｔｉｎｇ ｍｅａｎｓ）によってかけられた脳識別の訓練よりむしろ、物理的手段を適用するため、改善された方法で脳識別を訓練するために適用される。
【００８８】
図３Ｂは、処置を適用するための第２手順を示す。
【００８９】
処置の別の手順によると、装置（１００）によって適用されるために、装置（１００）は、脳によって完了されるための、形状を生成する。例えば、脳によって完了される形状は、三角形（４６）または長方形（４６）を構成してもよく、その各々は、空のセグメント（４８）を有している。空のセグメント（４８）は、脳によって完了されるために生成される。
【００９０】
図３Ｃは、処置を適用するための第３手順を示す。
【００９１】
処置の別の手順によると、装置（１００）によって適用されるために、装置（１００）は、満たされる期待値を生成する。本実施形態は、期待値を生成するために、および後に装置（１００）によって完了されるために、配列された形状を生成することを含む。
【００９２】
例えば、第１工程で、装置（１００）は、ライン（５０）を生成し、第２工程で、装置（１００）は、１つ以上のドットまたはライン（５０）の一部である他のセグメント（５２）を生成する。患者は、ライン（５０）の残りを期待する（ｅｘｐｅｃｔｓ）。その後、装置（１００）は、第３工程で、ライン（５０）に類似しているライン（５４）を生成することにより期待値を満たす。
【００９３】
好ましくは、装置（１００）によって生成された形状は、恒久的には生成されず、むしろ繰り返し生成され、取り消される。
【００９４】
ピンを上げることによって、物理的衝突が生じ得、その後すぐに、その低下した状態に後退する。
【００９５】
ピンは、複数の刺激形態を提供し得る。例えば、物理的衝突を生むように設計されているピンはまた、ピンを加熱する加熱体を含んでもよい。その結果、ピンは、足裏に当たるだけでなく、熱パルスも提供する。
【００９６】
ピンはまた、電流を生成し得る。それ故、各ピンは、組み合わせて又は組み合わさずに、物理的、電気的、温度的な性質を有するパルスを生成するために使用されてもよい。
【００９７】
図４は、図１で画定された断面Ａ−Ａを示す断面図である。図４において、ピンは持ち上げられている。
【００９８】
図５は、ピンを移動させる電気機械的機構に焦点を当てる断面図である。
【００９９】
図５は２本のピンを示し、左側は下降しており、右側は持ち上げられている。（３６）は、そのピンが取り外されている、プレート（１２）の穿孔部の穴を表わす。
【０１００】
言及されるように、参照番号（１２）は有孔プレートを表わす。有孔プレートの穴（３６）の各々は、ピン（１１）を通すために使用される導管である。ピンの各々が、ピンの位置にてパネルの表面に対し垂直に移動できることに、注目されたい。
【０１０１】
参照番号（１４）は、（図の配向において）下側プレートを表わす。参照番号（２０）は、上側電磁石を表わし、参照番号（２２）は（図の配向において）下側電磁石を表わす。参照番号（２４）は、ピン（１１）に付けられる鉄要素を表わす。
【０１０２】
電磁石（２０）又は（２２）の１つがばねと置き換えられ、それにより単純化された機構を得てもよいことに、注目されたい。電磁石の代わりにばねを使用する場合、各ピンには次の２つの状態がある：ばねがプレート（１２）（１４）の方へとピンを押す、アイドル状態；及び、ピンが反対方向に引っ張られる、起動状態。
【０１０３】
上側電磁石（２０）が起動される場合、上側電磁石（２０）が鉄要素（２４）を引っ張り上げ、故にピンが持ち上げられる。下側電磁石（２２）が起動される場合、下側電磁石（２２）は鉄要素（２４）を引き下ろし、故にピンは下降する。
【０１０４】
示されるように、鉄要素（２４）は穴（３６）の幅より大きく、そのため、有孔板（１２）は、ピン（１１）の上側への動作を制限する。加えて、プレート（１４）は、ピンの下側への動作を制限する。
【０１０５】
図５において、ピンの各々が円錐形状の先端を持つことに、注目されたい。この構造は、刺激の形態であるうずき（ｔｉｎｇｌｅ）をもたらす。もちろん、ピンの先端は鈍くてもよい。
【０１０６】
図４を再び参照すると、電磁石の各々はコントローラ（３２）により制御される。故に、コントローラは、ピンの各々の上側電磁石（２０）及び下側電磁石（２２）へ電力を提供する役割がある。
【０１０７】
コンピュータ化された機構（３４）は、ピンのどの電磁石に電力を提供するかについて、コントローラ（３２）に指示する役割がある。コンピュータ化された機構からコントローラ（３２）へのコマンド、及びそこからマトリックス（１０）のピンへのコマンドは、バス（１８）を介して転送される。
【０１０８】
用語「スクリプト」は、本明細書において、（機械による物理的動作を実行するための）時間指定された指示の群を指す。
【０１０９】
コンピュータ化された機構は、ピンの起動、及びその刺激（加熱、冷却、感電など）のためにスクリプトを使用してもよい。例えば、図３に示されるピンの三角形状（３０）は、反復自在な方式で前後に「移動」することができ、その一方でピンの各々が加熱される。故に、コンピュータ化された機構は、ピンをいつ持ち上げるべきか、及びピンをいつ下降させるべきかを「決定し」、コントローラは、コンピュータ化された機構のコマンドを実行するために必要とされる電磁石に電力を提供する機構である。
【０１１０】
用語「コントローラ」は、本明細書において、物理的動作を実行するための機構を指し、用語「コンピュータ化された機構」は、本明細書において、コントローラへの指示の群を指す。コンピュータ化された機構は、（メモリに保存されるコマンドの群である）プログラムの実行のために、ＣＰＵとメモリを含んでもよい。もちろん、現在、コンピュータ化された機構は、単に回路構成により実施され得る。
【０１１１】
好ましくは、コンピュータ化された機構はユーザーインターフェースを含み、それによりユーザー（医師、セラピスト、患者など）が刺激処置（スクリプト）を選択し、処置のパラメータ（持続時間、パルスの強度など）を設定する。ユーザーインターフェースを使用して、ユーザーはまた、スクリプトを決定し、新しい刺激スクリプトを画定するなどを行ってもよい。
【０１１２】
好ましくは、パネル（２６）と（２８）の各々を形成するプレート（１２）の各々の表面形状は、ヒトの足裏、及び一般的には刺激されるヒトの臓器に対応しなければならない。しかし、本発明の理解を促進するためには、添付の図において、プレート（１２）は水平である。
【０１１３】
磁気パルス／信号は、電磁石機構により生成され得る。電気パルス／信号は、現在周知である、この目的のための回路構成により生成され得る。
【０１１４】
磁気パルス／信号により、ピンが持ち上げられる場合、電気／磁気パルス／信号を生成する回路をピンが閉じるように、装置が設計され得る。故に、ピンを移動させるのと同じ機構も、物理的な衝突、熱／冷気のパルス／信号などの生成のために使用されてもよい。
【０１１５】
図６は、ピンの加熱機構に焦点を当てる断面図である。
【０１１６】
本発明のこの実施形態によれば、上側と下側のプレートとの間の空間（３８）は、加熱体（４０）により加熱され得る液体（４２）で満たされ得る。その結果、ピンがその下側の状態にある場合、即ち、加熱した液体（４２）に漬けられる場合、ピンは加熱され、そしてピンが持ち上げられると、熱が接触点において人体に広がる。この機構は、その個々の加熱体によりピンの各々を加熱するよりも単純である。同じ機構が、ピンの冷却に適用され得る。
【０１１７】
本明細書中の図及び／又は記載において、以下の参照番号（参照符号のリスト）を言及した：
番号（１００）は、本発明の１つの実施形態に係る瞑想のための装置を表わす。
番号（１０）はピン（１１）の群を表わす。
番号（１１）は、コンピュータ化された機構（３４）によるコントローラ（３２）により制御自在である、可動ピンを表わす。
番号（１２）は有孔板を表わす。
番号（１４）は、（図の配向において）下方へのピンの各々の移動を制限する、下側プレートを表わす。
番号（１６）はケーシングを表わし、その上側には、ヒトの足裏に対応する、２つのパネル（２６）と（２８）が配置される。
番号（１８）は、コンピュータ化された機構（３４）からコントローラ（３２）へとコマンドを送るバス（データ通信チャネル）を表わす。
番号（２０）は（図の配向において）上側電磁石を表わす。
番号（２２）は（図の配向において）下側電磁石を表わす。
番号（２４）は鉄要素を表わす。
番号（２６）は、ヒトの左足裏に対応する左側パネルを表わす。
番号（２８）は、ヒトの右足裏に対応する右側パネルを表わす。
番号（３０）は、マトリックス（１０）のピン（１１）から生成される、三角形状を表わす。
番号（３２）はコントローラを表わす。
番号（３４）はコンピュータ化された機構（例えば、ＣＰＵとメモリを含む）を表わす。
番号（３６）はプレート（１２）にある穿孔部の穴を表わす。
番号（３８）は、プレート（１２）とプレート（１４）との間の空間を表わす。
番号（４０）、（４０Ａ）、（４０Ｂ）、（４０Ｃ）、及び（４２）は、生成されるライン又はそのセットを表わす。
番号（４０Ｃ１）、（４０Ｃ２）、（４０Ｃ３）、（４０Ｃ４）、及び（４０Ｃ５）は、生成されたラインのセット内にある１つのラインを表わす。
番号（４６）は、空のセグメントを持つ、三角形又は長方形又は円形などの形状を表わす。
番号（４８）は、生成されたライン又は形状の空のセグメントを表わす。
番号（５０）は、生成されるライン又は形状を表わす。
番号（５２）は、ライン又は他の生成された形状の、ドット又は別のセグメントを表わす。
番号（５４）は、２つの生成された形状間の差を表わす。
【０１１８】
本発明の実施形態の前述の記載及び図示は、図示のために提示された。完全なものであり、又は任意の形で本発明を上記の記載のように制限するようには、意図されない。
【０１１９】
上記に定義され、且つ特許請求の範囲に使用される任意の用語は、この定義に応じて解釈されねばならない。
【０１２０】
特許請求の範囲における参照番号は、請求項の一部でなく、むしろその読み取りを促進するために使用されるものである。これら参照番号は、任意の形で特許請求の範囲を制限するものと、解釈されるべきではない。
【図１】
0003210769.tif 000003
【図２】
0003210769.tif 000004
【図２Ａ】
0003210769.tif 000005
【図３】
0003210769.tif 000006
【図３Ａ】
0003210769.tif 000007
【図３Ｂ】
0003210769.tif 000008
【図３Ｃ】
0003210769.tif 000009
【図４】
0003210769.tif 000010
【図５】
0003210769.tif 000011
【図６】
0003210769.tif 000012
【手続補正書】
【提出日】平成28年8月8日(2016.8.8)
【手続補正１】
【補正対象書類名】実用新案登録請求の範囲
【補正対象項目名】全文
【補正方法】変更
【補正の内容】
【実用新案登録請求の範囲】
【請求項１】
瞑想治療用装置装置（１００）であって、該装置は、
・各々が触覚によって知覚可能な信号を提供するための手段を含む、複数の隣接するドット（１１）または他の形状であって、前記信号が機械的な信号、電気的な信号、温度信号、磁気信号を含む群から選択された少なくとも１つのメンバーを含む、複数の隣接するドット（１１）または他の形状；および、
・触覚によって知覚される、実質的に反復して生成および消去されるあらかじめプログラムされた形状（３０、４０、４０Ａ、４０Ｂ、４２、４６、４８、５０、５２、５４）を提供するために、前記手段の各々を独立して実行するための制御装置（３２）、を備え、
前記手段は複数のバーを備え、その各々は前記制御装置（３２）によって制御される個別のモーターにより操作され、
それにより、触覚によって知覚可能な前記信号を介して前記あらかじめプログラムされた形状（３０、４０、４０Ａ、４０Ｂ、４２、４６、４８、５０、５２、５４）に類似する信号を脳に対して生じさせる、装置（１００）。
【請求項２】
触覚によって知覚可能な前記あらかじめプログラムされた形状（３０、４０、４０Ａ、４０Ｂ、４２、４６、４８、５０、５２、５４）は、ライン（４０、４０Ａ、４０Ｂ、４２）または他の形状の解像度を上げる手順を含み、
それにより、瞑想治療によって適用される脳の識別訓練よりもむしろ、脳の識別訓練のために触覚を利用する、請求項１に記載の装置（１００）。
【請求項３】
ライン（４０、４０Ａ、４０Ｂ、４２）または他の形状の解像度を上げる前記手順は、一定数のラインを維持することを含む、請求項２に記載の装置（１００）。
【請求項４】
ライン（４０、４０Ａ、４０Ｂ、４２）または他の形状の解像度を上げる前記手順は、各工程で単一の距離を提供することを含む、請求項２に記載の装置（１００）。
【請求項５】
ライン（４０、４０Ａ、４０Ｂ、４２）または他の形状の解像度を上げる前記手順は、各工程で複数の距離を提供することを含む、請求項２に記載の装置（１００）。
【請求項６】
触覚によって知覚可能な前記あらかじめプログラムされた形状（３０、４０、４０Ａ、４０Ｂ、４２、４６、４８、５０、５２、５４）は、空のセグメント（４８）を含む形状（４６）を提供する手順を含み、
それにより、脳の完成訓練のために触覚を利用する、請求項１に記載の装置（１００）。
【請求項７】
触覚によって知覚可能な前記あらかじめプログラムされた形状（３０、４０、４０Ａ、４０Ｂ、４２、４６、４８、５０、５２、５４）は、
−ラインまたは形状（５０）を提供する、
−その後、ラインまたは形状（５０）の一部（５２）を提供する、
−その後、前記形状（５０）の前記ラインと、前記ラインまたは形状（５０）の前記一部（５２）との間の差を提供する、
という手順を含み、
それにより、前記ラインまたは形状（５０）によって、および前記一部（５２）によって生成される期待値をもたらすために、ならびに前記差によって生成される期待値の達成をもたらすために、触覚を利用する、請求項１に記載の装置（１００）。  
【請求項８】
複数の隣接するドット（１１）または他の形状は、移動可能かつ後退可能なピン（１１）または他の形状の１以上の群（１０）を含み、前記ピン（１１）または他の形状の各々はピンが配置される表面に実質的に垂直であり、
前記制御装置（３２）は、前記ピン（１１）の各々を個別に移動および後退させる操作を制御するために適しており、および、
前記装置（１００）は、時間指定された指示の群であるスクリプトに従って、前記制御装置（３２）に前記ピンの各々を個別に移動／後退させるよう指示するためのコンピューター化された機構（３４）をさらに含み、
それにより、スクリプトに従ってヒトの器官へ機械的な刺激信号／パルスを生成する、請求項１に記載の装置（１００）。
【請求項９】
加熱用のパルス／信号を生成するために、複数の隣接するドット（１１）または他の形状を加熱するための機構をさらに含む、請求項１に記載の装置（１００）。
【請求項１０】
冷却用のパルス／信号を生成するために、複数の隣接するドット（１１）または他の形状を冷却するための機構をさらに含む、請求項１に記載の装置（１００）。
【請求項１１】
電気的なパルス／信号を生成するために、複数の隣接するドット（１１）または他の形状に電気を流すための機構をさらに含む、請求項１に記載の装置（１００）。
【請求項１２】
磁気パルス／信号を生成するために、複数の隣接するドット（１１）または他の形状を磁化するための電磁機構をさらに含む、請求項１に記載の装置（１００）。
【請求項１３】
スクリプトの各コマンドはパルス／信号の形態を定義する、請求項７に記載の装置（１００）。
【請求項１４】
前記形態は強度である、請求項１３に記載の装置（１００）。
【請求項１５】
前記形態は継続時間である、請求項１３に記載の装置（１００）。
【請求項１６】
前記形態はリズムである、請求項１３に記載の装置（１００）。
【請求項１７】
前記形態はサイクルである、請求項１３に記載の装置（１００）。
【請求項１８】
前記ドット（１１）または他の形状の各々は個別に加熱される、請求項１に記載の装置（１００）。
【請求項１９】
前記ピンはすべて、後退状態にあるときにピンのまわりに配置された加熱された液体によって一緒に加熱される、請求項７に記載の装置（１００）。
【請求項２０】
前記ピンの各々は個別に冷却される、請求項７に記載の装置（１００）。
【請求項２１】
前記ピンはすべて、後退状態にあるときにピンのまわりに配置された冷却用液体によって一緒に冷却される、請求項７に記載の装置（１００）。
【請求項２２】
前記表面はヒトの器官の表面に相当する、請求項７に記載の装置（１００）。
【請求項２３】
前記ヒトの器官は、手のひら、足裏、背中、顔からなる群から選択される、請求項２１に記載の装置（１００）。
【請求項２４】
前記ヒトの器官の領域が敏感であればあるほど、移動可能かつ後退可能なピン（１１）の前記群（１０）のメンバーの密度はますます高くなる、請求項２１に記載の装置（１００）。
【請求項２５】
前記ピンは幾何学的な形態で動かされる、請求項７に記載の装置（１００）。
【請求項２６】
前記ピンは部分的に幾何学的な形態で動かされ、それによって、患者の頭脳が完全な形態を完成させるのを可能にする、請求項７に記載の装置（１００）。
【請求項２７】
移動可能かつ後退可能なピン（１１）の前記群（１０）のメンバーは、マトリックスの形態で配置される、請求項７に記載の装置（１００）。
【請求項２８】
・前記ピン（１１）が穿孔を通って移動可能な第１の有孔板（１２）；
・第２のプレート（１４）；
・液体（４２）で充填される、前記プレート間の閉塞空間（３８）；および
・前記液体（４２）を加熱／冷却するための、前記液体（４２）中に配置される加熱／冷却体（４０）、
をさらに備え、
・それによって、前記液体に浸漬するときに前記ピンをすべて加熱／冷却する、請求項７に記載の装置（１００）。
【請求項２９】
前記複数の隣接するドット（１１）または他の形状は、複数の電気出力用ドットまたは他の形状を含む電気的マスクを含む、請求項１に記載の装置（１００）。 

【手続補正書】
【提出日】平成29年4月5日(2017.4.5)
【手続補正１】
【補正対象書類名】実用新案登録請求の範囲
【補正対象項目名】全文
【補正方法】変更
【補正の内容】
【実用新案登録請求の範囲】
【請求項１】
瞑想治療用装置（１００）であって、該装置は、
・各々が触覚によって知覚可能な信号を提供するための手段を含む、複数の隣接するドット（１１）または他の形状であって、前記信号が機械的な信号、電気的な信号、温度信号、磁気信号を含む群から選択された少なくとも１つのメンバーを含む、複数の隣接するドット（１１）または他の形状；および、
・触覚によって知覚される、実質的に反復して生成および消去されるあらかじめプログラムされた形状（３０、４０、４０Ａ、４０Ｂ、４２、４６、４８、５０、５２、５４）を提供するために、前記手段の各々を独立して実行するための制御装置（３２）、を備え、
前記手段は複数のバーを備え、その各々は前記制御装置（３２）によって制御される個別のモーターにより操作され、
それにより、触覚によって知覚可能な前記信号を介して前記あらかじめプログラムされた形状（３０、４０、４０Ａ、４０Ｂ、４２、４６、４８、５０、５２、５４）に類似する信号を脳に対して生じさせる、装置（１００）。
【請求項２】
触覚によって知覚可能な前記あらかじめプログラムされた形状（３０、４０、４０Ａ、４０Ｂ、４２、４６、４８、５０、５２、５４）は、ライン（４０、４０Ａ、４０Ｂ、４２）または他の形状の解像度を上げる手順を含み、
それにより、瞑想治療によって適用される脳の識別訓練よりもむしろ、脳の識別訓練のために触覚を利用する、請求項１に記載の装置（１００）。
【請求項３】
ライン（４０、４０Ａ、４０Ｂ、４２）または他の形状の解像度を上げる前記手順は、一定数のラインを維持することを含む、請求項２に記載の装置（１００）。
【請求項４】
ライン（４０、４０Ａ、４０Ｂ、４２）または他の形状の解像度を上げる前記手順は、各工程で単一の距離を提供することを含む、請求項２に記載の装置（１００）。
【請求項５】
ライン（４０、４０Ａ、４０Ｂ、４２）または他の形状の解像度を上げる前記手順は、各工程で複数の距離を提供することを含む、請求項２に記載の装置（１００）。
【請求項６】
触覚によって知覚可能な前記あらかじめプログラムされた形状（３０、４０、４０Ａ、４０Ｂ、４２、４６、４８、５０、５２、５４）は、空のセグメント（４８）を含む形状（４６）を提供する手順を含み、
それにより、脳の完成訓練のために触覚を利用する、請求項１に記載の装置（１００）。
【請求項７】
触覚によって知覚可能な前記あらかじめプログラムされた形状（３０、４０、４０Ａ、４０Ｂ、４２、４６、４８、５０、５２、５４）は、
−ラインまたは形状（５０）を提供する、
−その後、ラインまたは形状（５０）の一部（５２）を提供する、
−その後、前記形状（５０）の前記ラインと、前記ラインまたは形状（５０）の前記一部（５２）との間の差を提供する、
という手順を含み、
それにより、前記ラインまたは形状（５０）によって、および前記一部（５２）によって生成される期待値をもたらすために、ならびに前記差によって生成される期待値の達成をもたらすために、触覚を利用する、請求項１に記載の装置（１００）。  
【請求項８】
複数の隣接するドット（１１）または他の形状は、移動可能かつ後退可能なピン（１１）または他の形状の１以上の群（１０）を含み、前記ピン（１１）または他の形状の各々はピンが配置される表面に実質的に垂直であり、
前記制御装置（３２）は、前記ピン（１１）の各々を個別に移動および後退させる操作を制御するために適しており、および、
前記装置（１００）は、時間指定された指示の群であるスクリプトに従って、前記制御装置（３２）に前記ピンの各々を個別に移動／後退させるよう指示するためのコンピューター化された機構（３４）をさらに含み、
それにより、スクリプトに従ってヒトの器官へ機械的な刺激信号／パルスを生成する、請求項１に記載の装置（１００）。
【請求項９】
加熱用のパルス／信号を生成するために、複数の隣接するドット（１１）または他の形状を加熱するための機構をさらに含む、請求項１に記載の装置（１００）。
【請求項１０】
冷却用のパルス／信号を生成するために、複数の隣接するドット（１１）または他の形状を冷却するための機構をさらに含む、請求項１に記載の装置（１００）。
【請求項１１】
電気的なパルス／信号を生成するために、複数の隣接するドット（１１）または他の形状に電気を流すための機構をさらに含む、請求項１に記載の装置（１００）。
【請求項１２】
磁気パルス／信号を生成するために、複数の隣接するドット（１１）または他の形状を磁化するための電磁機構をさらに含む、請求項１に記載の装置（１００）。
【請求項１３】
スクリプトの各コマンドはパルス／信号の形態を定義する、請求項８に記載の装置（１００）。
【請求項１４】
前記形態は強度である、請求項１３に記載の装置（１００）。
【請求項１５】
前記形態は継続時間である、請求項１３に記載の装置（１００）。
【請求項１６】
前記形態はリズムである、請求項１３に記載の装置（１００）。
【請求項１７】
前記形態はサイクルである、請求項１３に記載の装置（１００）。
【請求項１８】
前記ドット（１１）または他の形状の各々は個別に加熱される、請求項１に記載の装置（１００）。
【請求項１９】
前記ピンはすべて、後退状態にあるときにピンのまわりに配置された加熱された液体によって一緒に加熱される、請求項８に記載の装置（１００）。
【請求項２０】
前記ピンの各々は個別に冷却される、請求項８に記載の装置（１００）。
【請求項２１】
前記ピンはすべて、後退状態にあるときにピンのまわりに配置された冷却用液体によって一緒に冷却される、請求項８に記載の装置（１００）。
【請求項２２】
前記表面はヒトの器官の表面に相当する、請求項８に記載の装置（１００）。
【請求項２３】
前記ヒトの器官は、手のひら、足裏、背中、顔からなる群から選択される、請求項２２に記載の装置（１００）。
【請求項２４】
前記ヒトの器官の領域が敏感であればあるほど、移動可能かつ後退可能なピン（１１）の前記群（１０）のメンバーの密度はますます高くなる、請求項２２に記載の装置（１００）。
【請求項２５】
前記ピンは幾何学的な形態で動かされる、請求項８に記載の装置（１００）。
【請求項２６】
前記ピンは部分的に幾何学的な形態で動かされ、それによって、患者の頭脳が完全な形態を完成させるのを可能にする、請求項８に記載の装置（１００）。
【請求項２７】
移動可能かつ後退可能なピン（１１）の前記群（１０）のメンバーは、マトリックスの形態で配置される、請求項８に記載の装置（１００）。
【請求項２８】
・前記ピン（１１）が穿孔を通って移動可能な第１の有孔板（１２）；
・第２のプレート（１４）；
・液体（４２）で充填される、前記プレート間の閉塞空間（３８）；および
・前記液体（４２）を加熱／冷却するための、前記液体（４２）中に配置される加熱／冷却体（４０）、
をさらに備え、
・それによって、前記液体に浸漬するときに前記ピンをすべて加熱／冷却する、請求項８に記載の装置（１００）。
【請求項２９】
前記複数の隣接するドット（１１）または他の形状は、複数の電気出力用ドットまたは他の形状を含む電気的マスクを含む、請求項１に記載の装置（１００）。